(57)【要約】      （修正有）【課題】ゴムバンド等を用いずに顔面に固定でき、髪型の崩れや負荷がかかる部分に生じる痛み等を回避できるフェイスシールドを提供する。【解決手段】フェイスシールドは、着用者の目、鼻、および口を覆うことが可能な寸法の、透明な可撓性材料からなるフェイスシールド本体１と、シリコーン系粘着剤を含む粘着部２とを備え、粘着部２が、フェイスシールド本体１の上辺に沿って、着用者のこめかみ周辺に対応する位置にある。これによって、ゴムバンド等を用いずにフェイスシールドを顔面に固定することができ、ゴムバンド等に起因する不都合を回避することができる。【選択図】図１
0003229013.tif 000002
【実用新案登録請求の範囲】
【請求項１】
着用者の目、鼻、および口を覆うことが可能な寸法の、透明な可撓性材料からなるフェイスシールド本体と、
シリコーン系粘着剤を含む粘着部とを備え、
前記粘着部が、前記フェイスシールド本体の上辺に沿って、着用者のこめかみ周辺に対応する位置にある、フェイスシールド。
【考案の詳細な説明】
【技術分野】
【０００１】
本考案は、装着にゴムバンド等を用いず、シリコーン系粘着剤によって顔面に固定可能なフェイスシールドに関する。
【背景技術】
【０００２】
フェイスシールドは、透明の樹脂フィルムを装着して顔面を覆うことによって、着用者または着用者に対面する者が、飛沫に接触することを防止するための保護具である。感染症の流行によって需要が高まっており、フェイスシールド単独で、または衛生マスクと併用して使用される。着用者の目を保護できること、樹脂フィルムを介して顔が見えることなどの特徴から、医療現場や接客業などで用いられている。
【０００３】
フェイスシールドは一般に、ゴムバンド等の伸縮素材が、輪を形成するようにフェイスシールド本体の左右両側に接続されている。着用時には、このゴムバンド等を伸ばしながら後頭部に配置することで、ゴムバンド等が縮むことによる復元力が働き、フェイスシールドが着用者の顔面に固定される。あるいは、眼鏡のテンプルのような装着具を備える製品もあり、この場合は装着具の先端を耳にかけることによって、フェイスシールドを装着する。
【０００４】
このような、後頭部または耳でフェイスシールドを固定する構造には、後述するように、不都合が生じる利用シーンが存在する。
【０００５】
特許文献１には、ナス形ないしはＵ字形に湾曲整型された形状復元力を有する樹脂シートからなり、該樹脂シートの両側内側が頬への密着装着部である樹脂マスクが開示されている。特許文献１にはさらに、頬への密着装着部に軟質材料からなる滑り止め材が設けられている樹脂マスクが開示されている。すなわち、この樹脂マスクは、樹脂シートが着用者の顔をはさむ力、および頬と密着装着部との間に生じる摩擦力によって、顔面に固定する。この構造においては、樹脂マスクが頬に密着するが、頬は、話すことなどによって口を動かした際に、一緒に動きやすい箇所である。そのため、使用中にずれるのではないかという懸念がある。また、頬は顔面のうち比較的目立ちやすい位置でもあり、したがって、化粧が崩れた場合に目立ちやすいという欠点がある。
【先行技術文献】
【特許文献】
【０００６】
【特許文献１】実用新案登録第３１６９９５１号公報
【考案の概要】
【考案が解決しようとする課題】
【０００７】
従来のフェイスシールドは、多くの製品が、後頭部または耳でフェイスシールドを固定するための、ゴムバンドや装着具を有する。しかし、フェイスシールドを長時間装着していることによって、締め付けや荷重による負荷がかかり、ゴムバンドや装着具が接する箇所に痛みを生じる場合がある。また、ゴムバンド等を後頭部に回して装着する場合、髪型が崩れる原因となる。これらの不都合はいずれも、フェイスシールドを顔面に固定するための手段として、ゴムバンドや装着具が本体から延びていることに起因する。
【課題を解決するための手段】
【０００８】
上記課題を解決するため、本考案は、着用者の目、鼻、および口を覆うことが可能な寸法の、透明な可撓性材料からなるフェイスシールド本体と、シリコーン系粘着剤を含む粘着部とを備え、前記粘着部が、前記フェイスシールド本体の上辺に沿って、着用者のこめかみ周辺に対応する位置にある、フェイスシールドを提供する。
【考案の効果】
【０００９】
本考案のフェイスシールドは、シリコーン系粘着剤によって顔面に固定することにより、ゴムバンド等を用いずに装着することができる。これによって、髪型の崩れ、負荷がかかる部分に生じる痛み等の不都合を、回避することができる。また、粘着部は、化粧が目立たない位置に配置することができる。
【図面の簡単な説明】
【００１０】
【図１】本考案のフェイスシールドを示す平面図である。
【図２】頭頂部側から見た、着用時の本考案のフェイスシールドを示す模式図である。
【考案を実施するための形態】
【００１１】
本考案におけるフェイスシールド本体には、透明度が高く可撓性を有する、任意のフィルム状材料を用いることができる。例えば、ＣＰＰ、ＯＰＰなどが、好ましく用いられる。なお、ＣＰＰとは、Ｃａｓｔ  Ｐｏｌｙｐｒｏｐｙｌｅｎｅの略で、無延伸ポリプロピレンを指す。また、ＯＰＰとは、Ｏｒｉｅｎｔｅｄ  Ｐｏｌｙｐｒｏｐｙｌｅｎｅの略で、二軸延伸ポリプロピレンを指す。所望により、これらの材料に、防曇剤を塗布してもよい。これによって、呼気に含まれる水分が結露することによる、フェイスシールドの曇りを防止することができる。
【００１２】
本考案におけるフェイスシールド本体は、着用者の目、鼻、および口を覆うことが可能な寸法を有する。その形状は、任意の形状であってよい。典型的には四角形であるが、例えば下辺が半円形である場合など、様々な変形が可能である。また、非着用時のフェイスシールド本体は、平面状であってもよく、顔面の立体形状に沿ったＵ字状であってもよい。
【００１３】
本考案における粘着部は、フェイスシールド本体に、シリコーン系粘着剤を塗布することによって形成される。シリコーン系粘着剤は、ケイ素含有ポリマーであるシリコーンゴムとシリコーン樹脂とを配合することによって製造される。これらの比率を適宜調整することによって、粘着力を制御することができる。本考案における粘着部については、着用者に不快感を与えずに剥離し、繰り返し着脱することが可能な、弱粘着性の粘着剤が好ましい。
【００１４】
シリコーン系材料は一般に、化学的に安定であり、生体適合性も高い。また、アレルギー反応を起こすおそれも少ないと考えられている。そのため、医療用品、調理器具など、安全性が特に求められる分野においても用いられている。シリコーン系粘着剤を直接、皮膚に適用するという観点においては、医療用テープの他、肩紐やアンダーベルトを用いずに皮膚に貼付するタイプのブラジャーにおいて、使用実績がある。したがって、本考案のフェイスシールドにおいても、健康上の問題は懸念されない。
【００１５】
本考案における粘着部は、フェイスシールド本体の上辺に沿って、着用時に、着用者のこめかみ周辺に当接する位置にある。すなわち、着用する際には、粘着部をこめかみ周辺に接触させて押圧する。粘着部がこのような位置にあることによって、化粧が崩れた場合であっても比較的目立たず、また、髪を下ろすなどの対応によって隠すことも容易である。
【００１６】
所望により、本考案のフェイスシールドは、さらなる粘着部を有してもよい。例えば、着用者の額に対応する部分、こめかみ周辺から垂直に下方に移動した、顔の側面に対応する部分などに、さらなる粘着部を有してもよい。このようなさらなる粘着部を有することによって、着用者の顔面への密着性や安定性を上昇させることができる。
【００１７】
なお、本考案は上記の実施形態に限定されるものではなく、本考案の趣旨に基づいて種々変形させることが可能であり、それらを本考案の範囲から排除するものではない。
【符号の説明】
【００１８】
１  フェイスシールド本体
２  粘着部
３  着用者
【図１】
0003229013.tif 000003
【図２】
0003229013.tif 000004